(57)【要約】      （修正有）【課題】バックフォーカスの確保と薄型化に有利で、明るさや光学性能の確保も行いやすい撮影光学系、及び、それを備えた撮影装置の提供。【解決手段】物体側から順に、物体側に凸面を向けた正のメニスカスレンズＬ１１、物体側に凸面を向けた負のメニスカスレンズＬ１２、の２枚のレンズからなるＧ１と、負レンズＬ２１、正レンズＬ２２、正レンズＬ２３の３枚のレンズからなるＧ２で構成され、Ｌ２１とＬ２２は互いに接合され、以下の条件（１），（２），（３）を満足する。２．３≦｜ｆ１／ｆ｜≦５．３・・・（１）０．８≦ｆ２／ｆ≦１．０・・・（２）０．５５≦Ｌ／ｆ≦０．８５・・・（３）ｆは撮影光学系の全系の焦点距離、ｆ１は撮影光学系の物体側レンズ群の焦点距離、ｆ２は撮影光学系の像側レンズ群の焦点距離、Ｌは物体側レンズ群の最も物体側のレンズ面面頂から像側レンズ群の最も物体側のレンズ面面頂までの軸上距離。【選択図】図１
2009186791.tif 000002
【特許請求の範囲】
【請求項１】
軸上光束を制限する明るさ絞りと、
前記明るさ絞りの物体側に配置され、且つ、負の屈折力を有する物体側レンズ群と、
前記明るさ絞りの像側に配置され、且つ、正の屈折力を有する像側レンズ群と、
からなり、
前記物体側レンズ群は、物体側から順に、
物体側に凸面を向けた正の屈折力の物体側正メニスカスレンズ、
物体側に凸面を向けた負の屈折力の物体側負メニスカスレンズ、
の２枚のレンズからなり、
前記像側レンズ群は、物体側から順に、
像側負レンズ、像側第１正レンズ、像側第２正レンズ
の３枚のレンズからなり、
前記像側負レンズとそれに隣接する前記像側第１正レンズは互いに接合された接合ダブレットを構成し、
以下の条件（１），（２），（３）を満足することを特徴とする撮影光学系。
２．３≦｜ｆ１／ｆ｜≦５．３                                  ・・・（１）
０．８≦ｆ２／ｆ≦１．０                                      ・・・（２）
０．５５≦Ｌ／ｆ≦０．８５                                    ・・・（３）
ただし、ｆは、前記撮影光学系の全系の焦点距離、
ｆ１は、前記撮影光学系の物体側レンズ群の焦点距離、
ｆ２は、前記撮影光学系の像側レンズ群の焦点距離、
Ｌは、前記物体側レンズ群の最も物体側のレンズ面面頂から前記像側レンズ群の最も物体側のレンズ面面頂までの軸上距離、
である。
【請求項２】
前記接合ダブレットは、明るさ絞り側に凹面を向けたメニスカス形状であり、前記像側第２正レンズは、像側面が凸面であることを特徴とする請求項１に記載のズームレンズ。
【請求項３】
前記像側負レンズは、両凹負レンズであり、前記像側第１正レンズは、両凸正レンズであることを特徴とする請求項１に記載のズームレンズ。
【請求項４】
前記像側第１正レンズ又は前記像側第２正レンズのうちの少なくとも一方は、光軸から周縁にいく程、正の屈折力が弱くなる形状の非球面の凸面を有することを特徴とする請求項１又は請求項２に記載の撮影光学系。
【請求項５】
前記像側第２正レンズの物体側面は、前記非球面の凸面であることを特徴とする請求項４に記載の撮影光学系。
【請求項６】
前記像側第２正レンズの像側面は、前記非球面の凸面であることを特徴とする請求項４又は５記載の撮影光学系。
【請求項７】
前記物体側負メニスカスレンズが、以下の条件（４）を満足することを特徴とする請求項１乃至６のいずれかに記載の撮影光学系。
２．４≦（Ｒ１２ｆ＋Ｒ１２ｒ）／（Ｒ１２ｆ−Ｒ１２ｒ）≦３．２・・・（４）
ただし、Ｒ１２ｆは、前記物体側負メニスカスレンズの物体側レンズ面の近軸曲率半径、
Ｒ１２ｒは、前記物体側負メニスカスレンズの像側レンズ面の近軸曲率半径、
である。
【請求項８】
前記物体側正メニスカスレンズと前記物体側負メニスカスレンズはそれぞれ単レンズであり、前記物体側正メニスカスレンズの像側面の近軸曲率半径は前記物体側負メニスカスレンズの物体側面の近軸曲率半径よりも大きく、
前記物体側正メニスカスレンズが、以下の条件（５），（６）を満足することを特徴とする請求項１乃至７のいずれかに記載の撮影光学系。
−５．０≦（Ｒ１１ｆ＋Ｒ１１ｒ）／（Ｒ１１ｆ−Ｒ１１ｒ）≦−１．３
・・・（５）
０．２≦Ｄ１／Ｌ≦０．４                                      ・・・（６）
ただし、Ｒ１１ｆは、物体側レンズ群中の前記物体側正メニスカスレンズの物体側レンズ面の近軸曲率半径、
Ｒ１１ｒは、物体側レンズ群中の前記物体側正メニスカスレンズの像側レンズ面の近軸曲率半径、
Ｄ１は、前記物体側レンズ群の最も物体側のレンズ面面頂から最も像側のレンズ面面頂までの軸上距離、
である。
【請求項９】
以下の条件（７），（８）を満足することを特徴とする請求項１乃至８のいずれかに記載の撮影光学系。
−２．０≦ｆ１２／ｆ≦−０．５                                ・・・（７）
−２．３≦ｆ１１／ｆ１２≦−１．４                            ・・・（８）
ただし、ｆ１１は物体側正メニスカスレンズの焦点距離、
ｆ１２は物体側負メニスカスレンズの焦点距離、
である。
【請求項１０】
前記接合ダブレットが以下の条件（９），（１０）を満足することを特徴とする請求項１乃至９のいずれかに記載の撮影光学系。
−４．５≦Ｒ２１ｆ／Ｄ2122≦−１．７                          ・・・（９）
０．３５≦Ｒ２１ｆ／Ｒ２２ｒ≦０．８０                        ・・・（１０）
ただし、Ｒ２１ｆは、前記像側負レンズの物体側レンズ面の近軸曲率半径、
Ｄ2122は、前記接合タブレットの最も物体側のレンズ面面頂から最も像側のレンズ面面頂までの軸上の厚み、
Ｒ２２ｒは、前記像側第１正レンズの像側レンズ面の近軸曲率半径、
である。
【請求項１１】
前記接合ダブレットが以下の条件（１１），（１２）を満足することを特徴とする請求項１乃至１０のいずれかに記載の撮影光学系。
０．４０≦Ｄ２３／Ｄ２≦０．６０                              ・・・（１１）
０．５０≦ｆ２３／ｆ≦０．９０                                ・・・（１２）
ただし、Ｄ２は、前記像側レンズ群の最も物体側のレンズ面面頂から最も像側のレンズ面面頂までの軸上距離、
Ｄ２３は、前記像側第２正レンズの軸上の厚み、
ｆ２３は、前記像側第２正レンズの焦点距離、
である。
【請求項１２】
前記像側第２正レンズが以下の条件を満足する両凸形状であることを特徴とする請求項１乃至１１のいずれかに記載の撮影光学系。
０．５＜（Ｒ２３ｆ＋Ｒ２３ｒ）／（Ｒ２３ｆ−Ｒ２３ｒ）＜１．０・・・（１３）
ただし、Ｒ２３ｆは、前記像側第２正レンズの物体側レンズ面の近軸曲率半径、
Ｒ２３ｒは、前記像側第２正レンズの像側レンズ面の近軸曲率半径、
である。
【請求項１３】
撮影光学系と、
前記撮影光学系の像側に配置され、前記撮影光学系により形成される像を電気信号に変換する撮像素子と、
前記撮影光学系と前記撮像素子との間に配置され、観察用の像を形成するための光路と撮影用の像を形成する光路とに分離する光路分割部材
とを備え、
前記撮影光学系が請求項１乃至１２のいずれかの撮影光学系であることを特徴とする撮影装置。
【発明の詳細な説明】
【技術分野】
【０００１】
本発明は撮影光学系に関するものである。更には、撮影光学系を備えた撮影装置に関するものである。
【背景技術】
【０００２】
従来より、５枚のレンズを用いて光学性能を良好とした撮影光学系が知られている（特許文献１及び特許文献２参照）。これらの特許文献には、軸上光束を制限する明るさ絞りと、その明るさ絞りよりも物体側の２枚のレンズからなるレンズ群、明るさ絞りよりも像側の３枚のレンズからなるレンズ群を持ち、レンズ系内のレンズの配置が、物体側から順に、正の単レンズ、負の単レンズ、負レンズと正レンズの接合ダブレット、正の単レンズとした撮影光学系が開示されている。
【０００３】
【特許文献１】特開平９−１３３８５９号公報
【特許文献２】特開２０００−１８０７１９号公報
【発明の開示】
【発明が解決しようとする課題】
【０００４】
しかしながら、これらの特許文献１及び２に開示された撮影光学系は、バックフォーカスに対する厚み（最も物体側のレンズの物体側面から最も像側のレンズの像側面までの軸上距離）が大きい。そのため、これらの撮影光学系を一眼レフレックスカメラの交換レンズに用いようとすると、撮影光学系を含めた撮影装置全体の小型化に不利となる。
【０００５】
このような課題に鑑み、本発明の目的は、バックフォーカスの確保と厚みの薄型化に有利であり、明るさや光学性能の確保も行いやすい撮影光学系を提供することである。更には、そのような撮影光学系を備えた撮影装置を提供するものである。
【課題を解決するための手段】
【０００６】
上記課題を解決するために、本発明の撮影光学系は、
軸上光束を制限する明るさ絞りと、
前記明るさ絞りの物体側に配置され、且つ、負の屈折力を有する物体側レンズ群と、
前記明るさ絞りの像側に配置され、且つ、正の屈折力を有する像側レンズ群と、
からなり、
前記物体側レンズ群は、物体側から順に、
物体側に凸面を向けた正の屈折力の物体側正メニスカスレンズ、
物体側に凸面を向けた負の屈折力の物体側負メニスカスレンズ、
の２枚のレンズからなり、
前記像側レンズ群は、物体側から順に、
像側負レンズ、像側第１正レンズ、像側第２正レンズ
の３枚のレンズからなり、
前記像側負レンズと前記像側第１正レンズは互いに接合された接合ダブレットを構成し、
以下の条件（１），（２），（３）を満足することが望ましい。
２．３≦｜ｆ１／ｆ｜≦５．３                                ・・・（１）
０．８≦ｆ２／ｆ≦１．０                                      ・・・（２）
０．５５≦Ｌ／ｆ≦０．８５                                    ・・・（３）
ただし、ｆは、前記撮影光学系の全系の焦点距離、
ｆ１は、前記撮影光学系の物体側レンズ群の焦点距離、
ｆ２は、前記撮影光学系の像側レンズ群の焦点距離、
Ｌは、前記物体側レンズ群の最も物体側のレンズ面面頂から前記像側レンズ群の最も物体側のレンズ面面頂までの軸上距離、
である。
【０００７】
明るさ絞りを撮影レンズ系のほぼ中心に配置し、上述のレンズ配置とすることで撮影光学系における諸レンズの屈折力配置を対称的に配置でき、歪曲収差、ペッツバール和の補正、球面収差等の補正に有利となる。
【０００８】
また、明るさ絞りの像側の正レンズを像側第１正レンズＬ２２、像側第２正レンズＬ２３の２枚とすることで、収差性能を維持したまま射出瞳を像面から遠ざけやすくなり、シェーディングによる画質の劣化を抑えやすくなる。
【０００９】
また、像側レンズ群に、像側負レンズＬ２１と像側第１正レンズＬ２２の接合ダブレットを用いることで色収差の補正なども行いやすくなる。
【００１０】
明るさ絞りよりも物体側の物体側正レンズＬ１１と物体側負レンズＬ１２を物体側に凸面を向けたメニスカス形状とすることで、物体側正レンズＬ１１による物体側負レンズＬ１２の収差をキャンセルする機能を持たせつつ、物体側レンズ群内の各レンズ面における光線の入射角を小さくし易くなり、物体側レンズ群における収差を低減しやすくなる。
【００１１】
本発明の撮影光学系は、負屈折力の物体側レンズ群と正屈折力の像側レンズ群とでレトロフォーカスタイプとし、バックフォーカスの確保や厚みの薄型化、明るさの確保、光学性能の確保を行うために上述の条件（１）、（２）、（３）を満足する。
【００１２】
条件（１）は、物体側レンズ群の好ましい焦点距離を、条件（２）は、像側レンズ群の好ましい焦点距離を、条件（３）は、物体側レンズ群と像側レンズ群の好ましい位置関係を特定するものである。
【００１３】
条件（１）の下限２．３を下回らないようにすることで、物体側レンズ群の負の屈折力を適度に抑え、物体側レンズ群を２枚のレンズとしても光学性能の維持に有利となる。
【００１４】
条件（１）の上限５．３を上回らないようにすることで、物体側レンズ群の負の屈折力を確保し、レトロフォーカスタイプのレンズ群配置によるバックフォーカスの確保に有利となる。
【００１５】
条件（２）の下限０．８を下回らないようにすることで、像側レンズ群の正の屈折力を適度に抑え、像側レンズ群を３枚のレンズとしても光学性能の維持に有利となる。
【００１６】
条件（２）の上限１．０を上回らないようにして像側レンズ群の正の屈折力を確保することで、レンズ系の厚みの薄型化に有利となる。
【００１７】
条件（３）の下限０．５５を下回らないようにして、最も物体側のレンズ面面頂から像側レンズ群までの距離を確保することで、収差補正に必要な物体側レンズ群中に配置するレンズ枚数を確保しやすくなる。また、明るさ絞りに対する諸レンズ配置の対称性を維持しやすくなる。
【００１８】
条件（３）の上限０．８５を上回らないようにして、最も物体側の物体側正レンズＬ１１を像側レンズ群に近づけることで、入射瞳とレンズ系の入射面との距離を小さくでき、物体側レンズ群のレンズの径や厚みを小さくでき、薄型化、小径化に有利となる。また、物体側レンズ群の有効径が小さくできるので、諸収差の補正に有利となり、明るさを確保しても収差の発生を抑えやすくなる。
【００１９】
また、本発明の撮影光学系において、前記接合ダブレットは、明るさ絞り側に凹面を向けたメニスカス形状であり、前記像側レンズ群中の最も像側に配置された像側第２正レンズＬ２３は像側面が凸面であることが望ましい。
【００２０】
明るさ絞りよりも像側の接合ダブレットを明るさ絞り側に凹面を向けたメニスカス形状とし、その像側の像側第２正レンズＬ２３の像側面を凸面とすることで、像側レンズ群における正屈折力の確保と同時に軸上収差、軸外収差の補正、小径化を行いやすくなる。
【００２１】
また、前記像側負レンズＬ２１は、両凹負レンズであり、前記像側第１正レンズＬ２２は、両凸正レンズであることが望ましい。
【００２２】
上述の構成にすることにより、少ないレンズ枚数にて色収差等の諸収差の補正に有利となり、小型化と光学性能の確保がいっそう行いやすくなる。
【００２３】
また、前記像側第１正レンズＬ２２又は前記像側第２正レンズＬ２３のうちの少なくとも一方は、光軸から周縁にいく程、正の屈折力が弱くなる形状の非球面の凸面を有することが望ましい。
【００２４】
上述の構成にすることにより、レトロフォーカスタイプの撮影光学系を小型化する際に発生しやすい補正不足の球面収差、マイナス傾向の像面湾曲、樽型の歪曲収差の補正が容易となり、小型化と高い光学性能の確保に有利となる。
【００２５】
また、前記像側第２正レンズＬ２３の物体側面が前記非球面の凸面であることが望ましい。
【００２６】
また、前記像側第２正レンズＬ２３の像側面が前記非球面の凸面であることが望ましい。
【００２７】
像側第２正レンズＬ２３は、軸上光束、軸外光束の双方の中心が適度に離れるので、この前記像側第２正レンズＬ２３の物体側面、像側面、もしくは両面を上述の非球面の凸面とすることで、収差補正の効果を発揮しやすい。
【００２８】
また、前記物体側負メニスカスレンズＬ１２が、以下の条件（４）を満足することが望ましい。
２．４≦（Ｒ１２ｆ＋Ｒ１２ｒ）／（Ｒ１２ｆ−Ｒ１２ｒ）≦３．２・・・（４）
ただし、Ｒ１２ｆは、前記物体側負メニスカスレンズの物体側レンズ面の近軸曲率半径、
Ｒ１２ｒは、前記物体側負メニスカスレンズの像側レンズ面の近軸曲率半径、
である。
【００２９】
物体側負メニスカスレンズＬ１２は、負の屈折力の確保と収差バランスを良好にしやすくするため上述の条件（４）を満足する形状とすることが好ましい。
【００３０】
条件（４）は物体側負メニスカスレンズＬ１２の好ましいシェイプファクターを特定するものである。
【００３１】
条件（４）の下限２．４を下回らないようにして物体側負メニスカスレンズＬ１２の物体側面、像側面の曲率を維持することで、物体側レンズ群を明るさ絞りの近くに配置しても負レンズに入射する軸上光束、軸外光束共に入射角を小さくでき収差補正に有利となる。
【００３２】
条件（４）の上限３．２を上回らないようにして物体側負メニスカスレンズＬ１２の物体側面、像側面の曲率が大きくなりすぎないようにすることで、物体側負メニスカスレンズＬ１２での球面収差やコマ収差、像面湾曲を低減しやすくなる。
【００３３】
また、前記物体側正メニスカスレンズＬ１１と前記物体側負メニスカスレンズＬ１２はそれぞれ単レンズであり、前記物体側正メニスカスレンズＬ１１の像側面の近軸曲率半径は前記物体側負メニスカスレンズＬ１２の物体側面の近軸曲率半径よりも大きく、
前記物体側正メニスカスレンズＬ１１が、以下の条件（５），（６）を満足することが望ましい。
−５．０≦（Ｒ１１ｆ＋Ｒ１１ｒ）／（Ｒ１１ｆ−Ｒ１１ｒ）≦−１．３
・・・（５）
０．２≦Ｄ１／Ｌ≦０．４                                      ・・・（６）
ただし、Ｒ１１ｆは、物体側レンズ群中の前記物体側正メニスカスレンズＬ１１の物体側レンズ面の近軸曲率半径、
Ｒ１１ｒは、物体側レンズ群中の前記物体側正メニスカスレンズＬ１１の像側レンズ面の近軸曲率半径、
Ｄ１は、前記物体側レンズ群の最も物体側のレンズ面面頂から最も像側のレンズ面面頂までの軸上距離、
である。
【００３４】
レンズ系の厚みを薄くするためには、物体側正メニスカスレンズＬ１１を明るさ絞りに近づけ、且つ、バックフォーカスの確保のために物体側負メニスカスレンズＬ１２を像側レンズ群から離すことが好ましい。
【００３５】
そこで、物体側レンズ群自体の厚さを小さくしつつ、物体側正メニスカスレンズＬ１１による諸収差を補正する機能を両立しやすくするため、物体側正メニスカスレンズＬ１１と物体側負メニスカスレンズＬ１２をそれぞれ単レンズとし、物体側正メニスカスレンズＬ１１の像側面の近軸曲率半径は物体側負メニスカスレンズＬ１２の物体側面の近軸曲率半径よりも大きくして、軸外光束の補正効果を高め、上述の条件（５）、（６）を満足することが好ましい。
【００３６】
条件（５）は物体側正メニスカスレンズＬ１１の好ましいシェイプファクターを、条件（６）は物体側レンズ群の軸上の厚みを特定するものである。
【００３７】
条件（５）の下限−５．０を下回らないようにすることで、物体側正メニスカスレンズＬ１１の光線入射高さを確保し負レンズによる収差をキャンセルする機能を確保しやすくなる。
【００３８】
条件（５）の上限−１．３を上回らないようにすることで、物体側正メニスカスレンズＬ１１の物体側面の屈折力の確保により、諸レンズの明るさ絞りに対する対称性を良好にしやすくなり、収差バランスを保ちやすくなる。
【００３９】
条件（６）の下限０．２を下回らないようにして、物体側レンズ群の軸上の厚さを確保することで、物体側正メニスカスレンズＬ１１による収差補正等に必要な正屈折力の確保に有利となる。
【００４０】
条件（６）の上限０．４を上回らないようにして物体側レンズ群の厚みを抑えることで、物体側負メニスカスレンズＬ１２を物体よりに位置させやすくなり、レトロフォーカス配置によるバックフォーカスの確保に有利となる。
【００４１】
また、以下の条件（７），（８）を満足することが望ましい。
−２．０≦ｆ１２／ｆ≦−０．５                                ・・・（７）
−２．３≦ｆ１１／ｆ１２≦−１．４                            ・・・（８）
ただし、ｆ１１は、物体側正メニスカスレンズＬ１１の焦点距離、
ｆ１２は、物体側負メニスカスレンズＬ１２の焦点距離、
である。
【００４２】
物体側レンズ群の負の屈折力を確保した上で薄型化や収差バランスを良好とするために、上述の条件（７）、（８）を満足することが好ましい。
【００４３】
条件（７）、（８）は物体側正メニスカスレンズＬ１１、物体側負メニスカスレンズＬ１２の好ましい焦点距離を特定するものである。
【００４４】
条件（７）の下限−２．０を下回らないように物体側負メニスカスレンズＬ１２の負の屈折力を確保することで、バックフォーカスを長くする効果の維持、ペッツバール和の補正などに有利となる。
【００４５】
条件（７）の上限−０．５を上回らないように物体側負メニスカスレンズＬ１２の屈折力を適度に抑えることで、物体側正メニスカスレンズＬ１１の収差補正負担を抑えやすくなり、物体側正メニスカスレンズＬ１１の厚みを抑えやすくなる。
【００４６】
条件（８）の下限−２．３を下回らないようにすることで、物体側正メニスカスレンズＬ１１の屈折力を維持しやすくなり、諸収差の補正機能の確保に有利となる。
【００４７】
条件（８）の上限−１．４を上回らないようにすることで、物体側正メニスカスレンズＬ１１の厚さの低減や物体側正メニスカスレンズＬ１１自体の収差の低減、バックフォーカスの確保に有利となる。
【００４８】
また、前記接合ダブレットが以下の条件（９），（１０）を満足することが望ましい。
−４．５≦Ｒ２１ｆ／Ｄ2122≦−１．７                          ・・・（９）
０．３５≦Ｒ２１ｆ／Ｒ２２ｒ≦０．８０                        ・・・（１０）
ただし、Ｒ２１ｆは、前記像側負レンズＬ２１の物体側レンズ面の近軸曲率半径、
Ｄ2122は、前記接合タブレットの最も物体側のレンズ面面頂から最も像側のレンズ面面頂までの軸上の厚み、
Ｒ２２ｒは、前記像側第１正レンズＬ２２の像側レンズ面の近軸曲率半径、
である。
【００４９】
接合ダブレットを明るさ絞り側に凹面を向けたメニスカス形状とすることで接合ダブレットの物体側面、像側面における軸上光束、軸外光束の入射角度をバランスよく低減させやすくなる。
【００５０】
このとき、接合ダブレットの形状が上述の条件（９）、（１０）を満足するようにするとよい。
【００５１】
条件（９）の下限―４．５を下回らないようにすることで、凹面の負の屈折力を適度に確保することで球面収差やペッツバール和の補正、バックフォーカスの確保に有利となる。もしくは、接合ダブレットの軸上の厚みを確保することで非点収差の補正、色収差の補正等に有利となる。
【００５２】
条件（９）の上限―１．７を上回らないようにすることで、凹面の負の屈折力を適度に抑え、高次の球面収差等を抑えやすくなる。
【００５３】
条件（１０）の下限０．３５を下回らないように接合ダブレットの像側面の正屈折力を確保することで、像側第２正レンズＬ２３と正屈折力を分担しやすくなり諸収差の補正を低減しやすくなる。
【００５４】
条件（１０）の上限０．８０を上回らないように接合ダブレットの像側面の正パワーが強くなりすぎないようにすることで、コマ収差等の補正に有利となる。もしくは、周辺光量の確保に有利となる。
【００５５】
また、前記接合ダブレットが以下の条件（１１），（１２）を満足することが望ましい。
０．４０≦Ｄ２３／Ｄ２≦０．６０                              ・・・（１１）
０．５０≦ｆ２３／ｆ≦０．９０                                ・・・（１２）
ただし、Ｄ２は、前記像側レンズ群の最も物体側のレンズ面面頂から最も像側のレンズ面面頂までの軸上距離、
Ｄ２３は、前記像側第２正レンズＬ２３の軸上の厚み、
ｆ２３は、前記像側第２正レンズＬ２３の焦点距離、
である。
【００５６】
像側第２正レンズＬ２３の正屈折力を確保することでレトロフォーカスタイプにおけるバックフォーカスの確保等に有利となる。
【００５７】
条件（１１）、（１２）はこの像側第２正レンズＬ２３の好ましい厚さと屈折力を特定するものである。
【００５８】
条件（１１）の下限０．４０を下回らないように像側第２正レンズＬ２３の軸上厚みを確保することで、正屈折力の確保に有利となる。
【００５９】
条件（１１）の上限０．６０を上回らないようにすることで、撮影光学系の厚みや径方向のサイズの小型化に有利となる。
【００６０】
条件（１２）の下限０．５０を下回らないようにして、像側第２正レンズＬ２３の屈折力を適度に抑え、コマ収差等を低減しやすくすることが好ましい。
【００６１】
条件（１２）の上限０．９０を上回らないようにして適度に正屈折力を確保し、バックフォーカスの確保や射出瞳を像面から遠ざける機能を確保することが好ましい。
【００６２】
また、前記像側第２正レンズＬ２３が以下の条件を満足する両凸形状であることが望ましい。
０．５＜（Ｒ２３ｆ＋Ｒ２３ｒ）／（Ｒ２３ｆ−Ｒ２３ｒ）＜１．０・・・（１３）
ただし、Ｒ２３ｆは、前記像側第２正レンズＬ２３の物体側レンズ面の近軸曲率半径、
Ｒ２３ｒは、前記像側第２正レンズＬ２３の像側レンズ面の近軸曲率半径、
である。
【００６３】
像側第２正レンズＬ２３は正の屈折力が強くなりやすいので、各種収差を低減しやすい形状とすることが好ましい。
【００６４】
条件（１３）はこの像側第２正レンズＬ２３の好ましいシェイプファクターを特定するものである。
【００６５】
条件（１３）の下限０．５を下回らないようにすることで、軸外光束の光線の入射角を小さくでき、収差補正に有利となる。また。像側第２正レンズＬ２３のサイズを小さくしやすくなる。
【００６６】
条件（１３）の上限１．０を上回らないようにすることで正の屈折力を像側第２正レンズＬ２３の両面に分担でき、球面収差の補正に有利となる。
【００６７】
また、撮影装置は、前記撮影光学系と、前記撮影光学系の像側に配置され、前記撮影光学系により形成される像を電気信号に変換する撮像素子と、前記撮影光学系と前記撮像素子との間に配置され、観察用の像を形成するための光路と撮影用の像を形成する光路とに分離する光路分割部材とを備えることが望ましい。
【００６８】
本発明の撮影光学系は、バックフォーカスを確保しやすく、そのため、一眼レフレックスカメラの交換レンズなどに用いることが好ましい。
【００６９】
つまり、長いバックフォーカスを利用して、撮影光学系と撮像素子との間にクイックリターンミラーやハーフミラーなどの光路分割部材（光路の分割方式は、時分割方式、光量分割を問わない）を用いることで、撮影用の像を形成する光路と観察用の像を形成する光路を形成できる。
【００７０】
観察用の像の観察方式は、フォーカシングスクリーン上に形成した像を直接もしくは観察用の光学系を介して観察する方式や、観察用の像を撮像素子で撮像し、その像を表示素子にて表示し、その像を直接もしくは光学系を介して観察する方式とできる。
【００７１】
上述の各構成は相互に複数満足することがより好ましい。
【００７２】
条件（１）について、下限値を２．３１３とすることがより好ましい。また、上限値を５．２９４とすることがより好ましい。
【００７３】
条件（２）について、下限値を０．８１４とすることがより好ましい。また、上限値を０．９５５とすることがより好ましい。
【００７４】
条件（３）について、下限値を０．５６７とすることがより好ましい。また、上限値を０．８４３とすることがより好ましい。
【００７５】
条件（４）について、下限値を２．４７６とすることがより好ましい。また、上限値を３．１７９とすることがより好ましい。
【００７６】
条件（５）について、下限値を−４．０、更には−３．３とすることがより好ましい。また、上限値を−１．７、更には−１．９とすることがより好ましい。
【００７７】
条件（６）について、下限値を０．２２、更には０．２３とすることがより好ましい。また、上限値を０．３９、更には０．３８とすることがより好ましい。
【００７８】
条件（７）について、下限値を−１．８、更には−１．７とすることがより好ましい。また、上限値を−０．６、更には−０．７とすることがより好ましい。
【００７９】
条件（８）について、下限値を−２．０、更には−１．８とすることがより好ましい。また、上限値を−１．５、更には−１．５５とすることがより好ましい。
【００８０】
条件（９）について、下限値を−４．１、更には−３．９とすることがより好ましい。また、上限値を−１．９、更には−２．０とすることがより好ましい。
【００８１】
条件（１０）について、下限値を０．４、更には０．４２とすることがより好ましい。また、上限値を０．７、更には０．６５とすることがより好ましい。
【００８２】
条件（１１）について、下限値を０．４３、更には０．４６とすることがより好ましい。また、上限値を０．５７、更には０．５３とすることがより好ましい。
【００８３】
条件（１２）について、下限値を０．５５、更には０．６とすることがより好ましい。また、上限値を０．８５、更には０．７７とすることがより好ましい。
【００８４】
条件（１３）について、下限値を０．６５、更には０．７５とすることがより好ましい。また、上限値を０．９９、更には０．９８とすることがより好ましい。
【発明の効果】
【００８５】
本発明によれば、バックフォーカスの確保と厚みの薄型化に有利であり、明るさや光学性能の確保も行いやすい撮影光学系を提供できる。更には、そのような撮影光学系を備えた撮影装置を提供できる。
【発明を実施するための最良の形態】
【００８６】
以下、本発明の撮影光学系の実施例１〜３について説明する。実施例１〜３の光学系の断面図をそれぞれ図１〜図３に示す。
【００８７】
各図中、物体側レンズ群はＧ１、像側レンズ群はＧ２、明るさ絞りはＳ、光学的ローパスフィルターはＦ、ＣＣＤの像面はＩで示してある。なお、断面図中の平行平板は、ローパスフィルター、赤外カットフィルター、振動により埃を落とす超音波振動フィルターなどの各種ファイルター類を一枚の平行平板として現したものである。
【００８８】
実施例１の撮影光学系は、図１に示すように、物体側から順に、負屈折力の物体側レンズ群Ｇ１、開口絞りＳ、正屈折力の像側レンズ群Ｇ２から構成されている。
【００８９】
物体側レンズ群Ｇ１は、物体側から順に、物体側正メニスカスレンズＬ１１としての物体側に凸面を向けた正メニスカスレンズと、物体側負メニスカスレンズＬ１２としての物体側に凸面を向けた負メニスカスレンズとからなり、像側レンズ群Ｇ２は、像側負レンズＬ２１としての両凹負レンズと像側第１正レンズＬ２２としての両凸正レンズの接合ダブレットレンズと、像側第２正レンズＬ２３としての両凸正レンズとからなる。
【００９０】
非球面は、像側レンズ群Ｇ２の両凸正レンズの両面の２面に用いている。
【００９１】
実施例２の撮影光学系は、図２に示すように、物体側から順に、負屈折力の物体側レンズ群Ｇ１、開口絞りＳ、正屈折力の像側レンズ群Ｇ２から構成されている。
【００９２】
物体側レンズ群Ｇ１は、物体側から順に、物体側正メニスカスレンズＬ１１としての物体側に凸面を向けた正メニスカスレンズと、物体側負メニスカスレンズＬ１２としての物体側に凸面を向けた負メニスカスレンズとからなり、像側レンズ群Ｇ２は、像側負レンズＬ２１としての両凹負レンズと像側第１正レンズＬ２２としての両凸正レンズの接合ダブレットレンズと、像側第２正レンズＬ２３としての両凸正レンズとからなる。
【００９３】
非球面は、像側レンズ群Ｇ２の両凸正レンズの両面の２面に用いている。
【００９４】
実施例３の撮影光学系は、図３に示すように、物体側から順に、負屈折力の物体側レンズ群Ｇ１、開口絞りＳ、正屈折力の像側レンズ群Ｇ２から構成されている。
【００９５】
物体側レンズ群Ｇ１は、物体側から順に、物体側正メニスカスレンズＬ１１としての物体側に凸面を向けた正メニスカスレンズと、物体側負メニスカスレンズＬ１２としての物体側に凸面を向けた負メニスカスレンズとからなり、像側レンズ群Ｇ２は、像側負レンズＬ２１としての両凹負レンズと像側第１正レンズＬ２２としての両凸正レンズの接合ダブレットレンズと、像側第２正レンズＬ２３としての両凸正レンズとからなる。
【００９６】
非球面は、像側レンズ群Ｇ２の両凸正レンズの両面の２面に用いている。
【００９７】
以下、各実施例におけるレンズの数値データを示す。
【００９８】
各実施例におけるレンズの数値データにおいては、ｒは各レンズ面の曲率半径、ｄは各レンズの肉厚または間隔、ｎｄは各レンズのｄ線における屈折率、νｄは各レンズのｄ線におけるアッベ数、Kは円錐係数、A4、A6、A8、A10は非球面係数、E±Nは×１０±Nをそれぞれ示している。
【００９９】
また、各非球面形状は、各実施例における各非球面係数を用いて、以下の式で表される。
【０１００】
Ｚ＝（Ｙ2／ｒ）／[１＋｛１−（１＋Ｋ）・（Ｙ／ｒ）2｝1/2]
＋A4×Ｙ4＋A6×Ｙ6＋A8×Ｙ8＋A10×Ｙ10
ただし、光軸方向の座標をＺ、光軸と垂直な方向の座標をＹとする。
【０１０１】
数値実施例１
単位     ｍｍ
面データ
面番号               ｒ         ｄ        ｎｄ      νｄ
1               17.064      2.80     1.80610    33.27
2               36.465      0.13
3               16.356      0.95     1.69680    55.53
4                7.966      5.57 
5（絞り）         ∞        7.70
6              -10.584      0.83     1.75520    27.51
7               84.666      3.36     1.69680    55.53
8              -16.611      0.15
9（非球面）    670.610      4.20     1.74250    49.30
10（非球面）    -13.770     29.75
11                 ∞        4.57     1.51633    64.14
12                 ∞        1.06
像面                ∞
非球面データ
第９面
K=-999.0134,A4=-1.7520E-05,A6=5.9396E-08,A8=-1.9307E-09,A10=1.1985E-12
第１０面
K=0.4098,A4=3.1377E-06,A6=2.1734E-08,A8=-5.7979E-10,A10=-1.2876E-11
各種データ
焦点距離        25.38 
Ｆナンバー        2.9 
半画角         24.9 
像高          11.150
レンズ全長       57.720 
ＢＦ          32.034
レンズデータ
レンズ  始面   焦点距離
Ｌ１１    1     37.380
Ｌ１２    3    -23.373
Ｌ２１    6    -12.411
Ｌ２２    7     20.204
Ｌ２３    9     18.220
【０１０２】
数値実施例２
単位     ｍｍ
面データ
面番号               ｒ         ｄ        ｎｄ      νｄ
1               14.179      2.80     1.80610    33.27
2               27.380      0.13
3               12.478      0.95     1.78650    50.00
4                6.504      4.23 
5（絞り）         ∞        6.37
6              -15.597      0.83     1.76182    26.52
7               27.085      3.36     1.69680    55.53
8              -36.000      0.15
9（非球面）    356.666      4.20     1.74250    49.30
10（非球面）    -11.783     29.75
11                 ∞        4.57     1.51633    64.14
12                 ∞        1.06
像面                ∞
非球面データ
第９面
K=233.0929,A4=-2.9412E-05,A6=-2.3456E-07,A8=7.1848E-09,A10=-8.4208E-11
第１０面
K=0.3428,A4=2.0611E-06,A6=-2.4195E-07,A8=3.9420E-09,A10=-5.3603E-11
各種データ
焦点距離        25.50 
Ｆナンバー        2.9 
半画角         24.8 
像高          11.150
レンズ全長       55.047 
ＢＦ          32.033
レンズデータ
レンズ  始面   焦点距離
Ｌ１１    1     33.326
Ｌ１２    3    -18.575
Ｌ２１    6    -12.884
Ｌ２２    7     22.678
Ｌ２３    9     15.437
【０１０３】
数値実施例３
単位     ｍｍ
面データ
面番号               ｒ         ｄ        ｎｄ      νｄ
1               31.235      2.80     1.74000    28.30
2               91.658      0.13
3               25.747      0.95     1.48749    70.23
4               10.936      9.82 
5（絞り）         ∞        6.92
6               -8.559      0.83     1.68893    31.07
7              500.006      3.36     1.60300    65.44
8              -13.578      0.15
9（非球面）    123.829      4.20     1.67790    55.34
10（非球面）    -13.569     29.88
11                 ∞        4.57     1.51633    64.14
12                 ∞        1.06
像面                ∞
非球面データ
第９面
K=-80.9211,A4=-1.8642E-05,A6=1.3284E-07,A8=-3.2044E-09,A10=-1.5415E-11
第１０面
K=-0.4375,A4=5.0738E-06,A6=4.0676E-08,A8=4.5114E-10,A10=-4.7840E-11
各種データ
焦点距離        24.49 
Ｆナンバー        2.9 
半画角         25.7 
像高          11.150
レンズ全長       61.425 
ＢＦ          32.257
レンズデータ
レンズ  始面   焦点距離
Ｌ１１    1     62.791
Ｌ１２    3    -39.838
Ｌ２１    6    -12.207
Ｌ２２    7     21.976
Ｌ２３    9     18.265
【０１０４】
以上の実施例１〜３の無限遠物点合焦時の収差図をそれぞれ図４〜図６に示す。なお、球面収差図及び倍率色収差図において、実線はＣ線、点線はｄ線、一点鎖線はＦ線に対する各収差量（ｍｍ）を表している。非点収差図において、実線Ｓはサジタル像面（ｍｍ）、点線Ｍはメリジオナル像面（ｍｍ）をそれぞれ表している。また、歪曲収差図において、実線はｄ線に対する歪曲（％）を表している。
収差図は、上述の像高よりもイメージサークルを大きくしている。撮像素子を撮影光学系の光軸に対して垂直な面内でシフト移動させて撮影装置のブレの影響を低減させる技術が主流となっているが、このようなブレ補正を行う際にも画質を良好とする設計としている。
【０１０５】
次に、上記各実施例における条件式（１）〜（１３）の値を示す。
【０１０６】
条件式       実施例１    実施例２    実施例３
（１）      3.444       2.314       5.293 
（２）      0.876       0.815       0.954 
（３）      0.675       0.568       0.842 
（４）      2.899       3.178       2.477 
（５）     -2.759      -3.148      -2.034 
（６）      0.292       0.366       0.232 
（７）     -0.921      -0.728      -1.627 
（８）     -1.599      -1.794      -1.576 
（９）     -2.526      -3.723      -2.043 
（１０）      0.637       0.433       0.630 
（１１）      0.492       0.492       0.492 
（１２）      0.718       0.605       0.746 
（１３）      0.960       0.936       0.802 
【０１０７】
各実施例にて、遠距離から近距離への合焦は、撮影光学系全体を一体としての繰り出し、物体側レンズ群と像側レンズ群との間隔を変化させながらの繰り出し、像側レンズ群のみの繰り出しなど種々の方法で行える。
【０１０８】
図７は、本発明の撮影光学系を用い、撮像素子として小型のＣＣＤ又はＣ−ＭＯＳ等を用いた電子撮像装置としての一眼レフレックスカメラの断面図である。図７において、１は一眼レフレックスカメラ、２は鏡筒内に配置された撮影光学系、３は撮影光学系２を一眼レフレックスカメラ１に着脱可能とする鏡筒のマウント部であり、スクリュータイプのマウントやバヨネットタイプのマウント等が用いられる。この例では、バヨネットタイプのマウントを用いている。
【０１０９】
また、４は撮像素子面、５は撮影レンズ系２の光路６上のレンズ系と撮像素子面４との間に配置されたクイックリターンミラー、７はクイックリターンミラー５より反射された光路に配置されたファインダースクリーン、８はペンタプリズム、９はファインダー、Ｅは観察者の眼（アイポイント）である。
【０１１０】
このような構成の一眼レフレックスカメラ１の撮影光学系２として、例えば上記実施例１〜３に示した本発明の撮影光学系が用いられる。
【図面の簡単な説明】
【０１１１】
【図１】本発明の撮影光学系の実施例１のレンズ断面図である。
【図２】本発明の撮影光学系の実施例２の図１と同様の図である。
【図３】本発明の撮影光学系の実施例３の図１と同様の図である。
【図４】実施例１の無限遠物点合焦時の収差図である。
【図５】実施例２の無限遠物点合焦時の収差図である。
【図６】実施例３の無限遠物点合焦時の収差図である。
【図７】本発明の撮影光学系を交換レンズとして用いた一眼レフレックスカメラの断面図である。
【符号の説明】
【０１１２】
Ｇ１…物体側レンズ群
Ｇ２…像側レンズ群
Ｓ…明るさ絞り
Ｃ…カバーガラス
Ｉ…像面
Ｅ…観察者の眼（アイポイント）
１…一眼レフレックスカメラ
２…撮影レンズ系
３…マウント部
４…撮像素子面
５…クイックリターンミラー
６…光路
７…ファインダースクリーン
８…ペンタプリズム
９…ファインダー
【図１】
2009186791.tif 000003
【図２】
2009186791.tif 000004
【図３】
2009186791.tif 000005
【図４】
2009186791.tif 000006
【図５】
2009186791.tif 000007
【図６】
2009186791.tif 000008
【図７】
2009186791.tif 000009